(57)【要約】  本発明はハウジング（１１０）を有し、かつ少なくとも２つの電気的コンタクト・エレメント（１１２）を有する挿入接続コネクタ（１００）において、これらの少なくとも２つの電気的コンタクト・エレメント（１１２、２１４）は、それぞれ縦軸を有するとともに、前記ハウジング（１００）の挿入側の所定位置に配置され、これらの少なくとも２つの電気的コンタクト・エレメント（１１２、２１４）のそれぞれの縦軸が前記挿入接続コネクタ（１００、２００）の挿入方向（１２２）に平行になるように方向付けられている、挿入接続コネクタ（１００）に関する。各電気的コンタクト・エレメント（１１２、）は、前記ハウジング（１１０、）内で前記挿入方向（１２２）に対して垂直な平面内で可動であるように配置され、かつ伸縮自在で弾力性のある方法で少なくとも１つの電気絶縁性の伸縮自在で弾力性のある部材（１１４）を用いて少なくとも１つの第２の電気的コンタクト・エレメント（１１２）に接続される。前記伸縮自在で弾力性のある部材（１１４）は、前記電気的コンタクト・エレメント（１１２）を、許容誤差によるばらつきを除いて、前記各所定位置にあらかじめ配置し、かつ伸縮自在で弾力性のある方法で前記挿入方向（１２２）に対して垂直な前記平面内でこれらの位置から偏向させることができるように配置され、かつ形成されることを特徴とする。
2008535152.tif 000002
【特許請求の範囲】
【請求項１】
ハウジング（１１０、２１０）を有し、かつ少なくとも２つの電気的コンタクト・エレメント（１１２、２１４）を有する挿入接続コネクタ（１００、２００）において、これらの少なくとも２つの電気的コンタクト・エレメント（１１２、２１４）は、それぞれ縦軸を有するとともに、前記ハウジング（１１０、２１０）の挿入側の所定位置に配置され、これらの少なくとも２つの電気的コンタクト・エレメント（１１２、２１４）のそれぞれの縦軸が前記挿入接続コネクタ（１００、２００）の挿入方向（１２２、２２２）に平行になるように方向付けられている、挿入接続コネクタ（１００、２００）であって、各電気的コンタクト・エレメント（１１２、２１４）は、前記ハウジング（１１０、２１０）内で前記挿入方向（１２２、２２２）に対して垂直な平面内で可動であるように配置され、かつ伸縮自在で弾力性のある方法で少なくとも１つの電気絶縁性の伸縮自在で弾力性のある部材（１１４、２４４）を用いて少なくとも１つの第２の電気的コンタクト・エレメント（１１２、２１４）に接続され、前記伸縮自在で弾力性のある部材（１１４、２４４）は、前記電気的コンタクト・エレメント（１１２、２１４）を、許容誤差によるばらつきを除いて、前記各所定位置にあらかじめ配置し、かつ伸縮自在で弾力性のある方法で前記挿入方向（１２２、２２２）に対して垂直な前記平面内でこれらの位置から偏向させることができるように配置され、かつ形成されることを特徴とする挿入接続コネクタ（１００、２００）。
【請求項２】
請求項１に記載の挿入接続コネクタ（１００、２００）であって、前記挿入方向（２２２）に対して垂直な前記平面内の前記電気的コンタクト・エレメント（１１２、２１４）の可動性が、前記電気的コンタクト・エレメント（１１２、２１４）の前記縦軸の傾斜、および／または、平行な位置の移動における前記電気的コンタクト・エレメントの変位を含むような方法で、前記電気的コンタクト・エレメント（１１２、２１４）が前記ハウジング（１１０、２１０）内で可動であるように配置されることを特徴とする挿入接続コネクタ（１００、２００）。
【請求項３】
請求項１または２に記載の挿入接続コネクタ（２００）であって、各電気的コンタクト・エレメント（２１４）が、中心導体（２１８）および外部導体（２２０）を有する同軸挿入接続コネクタの形態であることを特徴とする挿入接続コネクタ（２００）。
【請求項４】
先行する請求項のうちの少なくとも１項に記載の挿入接続コネクタ（１００、２００）であって、各電気的コンタクト・エレメント（１１２、２１４）が、電気的コンタクト・エレメント（１１２、２１４）をケーブルの接続点（２２４）にその都度、電気的に接続する信号線部材（２１２）に接続されることを特徴とする挿入接続コネクタ（１００、２００）。
【請求項５】
請求項４に記載の挿入接続コネクタ（１００、２００）であって、各信号線部材（２１２）が、同軸ラインまたはストリップ・ラインの形態であることを特徴とする挿入接続コネクタ（１００、２００）。
【請求項６】
請求項４または５に記載の挿入接続コネクタ（１００、２００）であって、各信号線部材（２１２）が、電気的遮蔽を有するように形成されることを特徴とする挿入接続コネクタ（１００、２００）。
【請求項７】
請求項４〜６のうちの少なくとも１項に記載の挿入接続コネクタ（２００）であって、すべての前記信号線部材（２１２）が、前記所与のコンタクト・エレメント（２１４）を起点として、前記挿入方向（２２２）に対して直角な平面内に伸長するように配置されることを特徴とする挿入接続コネクタ（２００）。
【請求項８】
請求項４〜７のうちの少なくとも１項に記載の挿入接続コネクタ（２００）であって、各信号線部材（２１２）が堅い構成要素の形態であり、凹部（２２８）が、前記ハウジング（２１０）内に各信号線部材（２１２）に対して設けられ、かつ各信号線部材（２１２）を前記関連したコンタクト・エレメント（２１４）と共に前記挿入方向（２２２）に対して垂直な平面内で動かすことができるように形成されていることを特徴とする挿入接続コネクタ（２００）。
【請求項９】
先行する請求項のうちの少なくとも１項に記載の挿入接続コネクタ（２００）であって、各電気的コンタクト・エレメント（２１４）が、電気絶縁スリーブ（２４０）により取り囲まれており、電気的コンタクト・エレメント（２１４）の各スリーブ（２４０）が、電気絶縁性の伸縮自在で弾力性のあるそれぞれの部材（２４４）を用いて伸縮自在で弾力性のある方法で、隣接している電気的コンタクト・エレメント（２１４）のスリーブ（２４０）に接続されることを特徴とする挿入接続コネクタ（２００）。
【請求項１０】
請求項９に記載の挿入接続コネクタ（２００）であって、前記弾力性のある部材（２４４）が、前記挿入方向（２２２）に対して垂直な横断面においてΩ形になるように形成されることを特徴とする挿入接続コネクタ（２００）。
【請求項１１】
請求項９または１０に記載の挿入接続コネクタ（２００）であって、前記スリーブ（２４０）および弾力性のある部材（２４４）が、互いに一体となって単一部品になるように形成され、弾力性のあるハウジング（２１６）を形成することを特徴とする挿入接続コネクタ（２００）。
【請求項１２】
先行する請求項のうちの少なくとも１項に記載の挿入接続コネクタ（２００）であって、第１のラッチ手段（２３０）が前記ハウジング（２１０）上に形成され、かつそれぞれの弾力性のある部材（２４４）上に、前記第１のラッチ手段（２３０）と協働して前記弾力性のある部材（２４４）を前記ハウジング（２１０）に固定する、第２のラッチ手段（２４６）が形成されることを特徴とする挿入接続コネクタ（２００）。
【請求項１３】
請求項１２に記載の挿入接続コネクタ（２００）であって、各第１のラッチ手段（２３０）が、前記ハウジング（２１０）から前記挿入方向に隆起し、かつ凹部（２３２）を有する、伸縮自在で弾力性のある舌状突起を含むとともに、各第２のラッチ手段（２４６）が、前記所与の弾力性のある部材（２４４）から、前記挿入方向（２２２）に対して垂直に隆起し、かつ前記第１のラッチ手段を構成する前記弾力性のある舌状突起（２３０）内の前記凹部（２３２）に嵌入する、ラッチ突出部を含むことを特徴とする挿入接続コネクタ（２００）。
【請求項１４】
請求項１３に記載の挿入接続コネクタ（２００）であって、前記ハウジング（２１０）上の前記第１のラッチ手段を構成する前記舌状突起（２３０）のうちの少なくとも１つが、前記他の舌状突起（２３０）と異なる幅を有することを特徴とする挿入接続コネクタ（２００）。
【請求項１５】
先行する請求項のうちの少なくとも１項に記載の挿入接続コネクタ（２００）であって、各ラッチ突出部（２３６）を有し、かつ相互に離間した、少なくとも２つ、特に３つのラッチ差込み部（２３４）が、前記ハウジング（２１０）から前記挿入方向（２２２）に隆起しており、この各ラッチ突出部（２３６）は、ハウジングの中に、または前記挿入接続コネクタ（２００）の前記電気的コンタクト・エレメント（２１４）に対して相補的なコンタクト・エレメントを提供する挿入接続部の中に、ラッチするように形成されることを特徴とする挿入接続コネクタ（２００）。
【発明の詳細な説明】
【技術分野】
【０００１】
本発明は、請求項１の前文で定義するように、ハウジングを有し、かつ少なくとも２つの電気的コンタクト・エレメントを有する挿入接続コネクタに関し、これらの少なくとも２つの電気的コンタクト・エレメントは、それぞれ縦軸を有するとともに、ハウジングの挿入側の所定位置に配置され、これらの少なくとも２つの電気的コンタクト・エレメントのそれぞれの縦軸が挿入接続コネクタの挿入方向に平行になるように方向付けられている。
【背景技術】
【０００２】
一方では、例えば、同軸挿入接続コネクタ、ピン・コンタクト、またはレセプタクル・コンタクトのような適切なコンタクト・エレメントが設けられた複数のケーブル端と、他方では、例えば、同軸プラグ／カプラまたはレセプタクル・コンタクト／ピン・コンタクト、もしくは機器のケース上の複数の相補的コンタクト・エレメントのような適切な相補的コンタクト・エレメントを有する複数のケーブル端との間の電気的接続を行うためには、これまで、コンタクト・エレメントの各組が、個別の動作として手作業で一緒に差し込まれる必要があった。用語「コンタクト・エレメント」がこの場合に意味するものは、例えば、同軸プラグおよび同軸ソケット、ならびに、ピン・コンタクトおよびレセプタクル・コンタクトの形態の同軸挿入接続コネクタのような、１つ、２つ、または３つ以上の導体を有する任意の種類の挿入接続接点である。「相補的コンタクト・エレメント」または「はめ込みコンタクト・エレメント」が意味するものは、「コンタクト・エレメント」を挿入できる所与の場合における関連した挿入接続接点であり、すなわち、例えば、同軸プラグが「コンタクト・エレメント」であるとき、同軸カプラは「相補的コンタクト・エレメント」であり、またはピン・コンタクトが「コンタクト・エレメント」であるとき、レセプタクル・コンタクトは「相補的コンタクト・エレメント」である。本明細書において「挿入接続コネクタ」が意味するものは、２つ以上の「コンタクト・エレメント」を有する構成要素であり、「相補的挿入接続コネクタ」は、「挿入接続コネクタ」の「コンタクト・エレメント」に対応する「相補的コンタクト・エレメント」を有する。すべての複数の「コンタクト・エレメント」が同じであることは必須ではない。また、同軸挿入接続コネクタを、例えば、ピン／レセプタクル・コンタクトと混ぜることができる。「ピン」または「レセプタクル」タイプは、「挿入接続コネクタ」のすべての「コンタクト・エレメント」に対して必ず同一である必要もない。その代わりに、「挿入接続コネクタ」において同軸カプラおよび同軸プラグを混ぜることもできる。
【発明の開示】
【発明が解決しようとする課題】
【０００３】
例えば、自動車ルーフ・アンテナが、携帯電話アンテナおよびＧＰＳアンテナのような複数のアンテナを有する場合、自動車ルーフ・アンテナを、例えば、携帯電話およびＧＰＳ受信機のような対応する機器に電気的に接続するために、これまでは、自由端に適切なコンタクト・エレメントが設けられたケーブルが、自動車ルーフ・アンテナのハウジングから伸ばされることが通常であった。その後、これらのコンタクト・エレメントは、機器につながるケーブルに属する相補的コンタクト・エレメントにそれぞれ別々に接続される。しかしながら、この種類の電気的接続は、複雑かつコスト集約的である。
【０００４】
本発明の基礎となる目的は、取付部品および電気的コンタクトに関して、上述した種類の挿入接続コネクタを改良することにある。
【課題を解決するための手段】
【０００５】
この目的は、請求項１で特徴づけられた機能を有する上述した種類の挿入接続コネクタにより本発明に基づいて達成される。本発明の有利な実施形態は、他の請求項で説明される。
【０００６】
上述した種類の挿入接続コネクタでは、本発明に基づいて、各電気的コンタクト・エレメントが、ハウジング内で挿入方向に対して垂直な平面内で可動であるように配置され、かつ伸縮自在で弾力性のある方法で少なくとも１つの電気絶縁性の伸縮自在で弾力性のある部材を用いて少なくとも１つの第２の電気的コンタクト・エレメントに接続され、その伸縮自在で弾力性のある部材は、電気的コンタクト・エレメントを、許容誤差によるばらつきを除いて、各所定位置にあらかじめ配置し、かつ伸縮自在で弾力性のある方法で挿入方向に対して垂直な平面内でこれらの位置から偏向させることができるように配置され、かつ形成される。
【０００７】
これは、コンタクト・エレメントを伸縮自在に自由に動きまわるように浮遊させるという利点を有しており、このようにして、挿入接続コネクタおよび相補的挿入接続コネクタが一緒に差し込まれるとき、挿入接続コネクタの電気的コンタクト・エレメントの位置と、相補的電気的コンタクト・エレメントまたははめ込み電気的コンタクト・エレメントが堅固に配置されている相補的挿入接続コネクタの対応する相補的電気的コンタクト・エレメントまたははめ込み電気的コンタクト・エレメントの位置との間の許容誤差によるばらつきが、挿入接続コネクタの電気的コンタクト・エレメントの弾力的な偏向により自動的に補正され、それらの個々の位置に許容誤差によるいかなるばらつきがあっても、挿入接続コネクタの任意の所与の電気的コンタクト・エレメントと相補的挿入接続コネクタの間の良好な電気的コンタクトが確保される。
【０００８】
許容誤差を補正するできるだけフレキシブルな手段を提供するために、電気的コンタクト・エレメントは、挿入方向に対して垂直な平面内の電気的コンタクト・エレメントの可動性が、電気的コンタクト・エレメントの縦軸の傾斜、および／または、平行な位置の移動における電気的コンタクト・エレメントの変位を含むような方法で、挿入接続コネクタのハウジング内で可動であるように配置される。
【０００９】
好ましい実施形態では、各電気的コンタクト・エレメントは、中心導体および外部導体を有する同軸挿入接続コネクタの形態である。
【００１０】
信号が挿入接続コネクタを通って前方へ伝わるようにするために、各電気的コンタクト・エレメントは、電気的コンタクト・エレメントをケーブルの接続点にその都度、電気的に接続する信号線部材に接続される。
【００１１】
例えば、各信号線部材は、同軸ラインまたはストリップ・ラインの形態であり、随意的に、電気的遮蔽を有しうる。
【００１２】
特に好ましい実施形態では、すべての信号線部材が、所与のコンタクト・エレメントを起点として、挿入方向に対して直角な平面内に伸長するように配置され、各信号線部材は堅い構成要素の形態であり、凹部が、ハウジング内に各信号線部材に対して設けられ、各信号線部材を、関連したコンタクト・エレメントと共に挿入方向に対して垂直な平面内で動かすことができるように形成されている。
【００１３】
各電気的コンタクト・エレメントは、電気絶縁スリーブにより有効に取り囲まれ、電気的コンタクト・エレメントの各スリーブは、電気絶縁性の伸縮自在で弾力性のあるそれぞれの部材を用いて伸縮自在で弾力性のある方法で、隣接している電気的コンタクト・エレメントのスリーブに有効に接続され、その弾力性のある部材は、挿入方向に対して垂直な横断面において、例えばΩ形になるように形成され、そのスリーブおよび弾力性のある部材は、互いに一体となって単一部品になるように形成され、弾力性のあるハウジングを形成する。
【００１４】
第１のラッチ手段がハウジング上に形成され、それぞれの弾力性のある部材上に第２のラッチ手段が形成され、この第２のラッチ手段は、第１のラッチ手段と協働して、弾力性のある部材を、および弾力性のある部材と共に電気的コンタクト・エレメントをハウジングに固定する。
【００１５】
好ましい実施形態では、各第１のラッチ手段は、ハウジングから挿入方向に隆起し、かつ凹部を有する、伸縮自在で弾力性のある舌状突起を含むとともに、各第２のラッチ手段は、所与の弾力性のある部材から、挿入方向に対して垂直に隆起し、かつ第１のラッチ手段を構成する弾力性のある舌状突起内の凹部に嵌入する、ラッチ突出部を含む。
【００１６】
本発明の挿入接続コネクタのいかなる好ましからざる不正確な挿入をも阻止する機械的コーディングは、ハウジング上の第１のラッチ手段を構成する舌状突起のうちの少なくとも１つが、他の舌状突起と異なる幅を有するという事実により達成される。
【００１７】
挿入接続コネクタを挿入状態で固定できるようにするために、各ラッチ突出部を有し、かつ相互に離間した、少なくとも２つ、特に３つのラッチ差込み部が、ハウジングから挿入方向に隆起しており、この各ラッチ突出部は、ハウジングの中に、または挿入接続コネクタの電気的コンタクト・エレメントに対して相補的なコンタクト・エレメントを提供する挿入接続部の中に、ラッチするように形成されている。
【発明を実施するための最良の形態】
【００１８】
本発明は、図面を参照することにより以下で詳細に説明されるであろう。
【００１９】
図１の略図で確認できる本発明の挿入接続コネクタ１００の第１の好ましい実施形態は、ハウジング１１０を含み、このハウジング１１０内には、図１の平面図ではその端面だけが確認できる細長いレセプタクル・コンタクト１１２が配置されている。これらのレセプタクル・コンタクト１１２は、伸縮自在で弾力性のある部材１１４のネットワークにより一緒に接続され、この弾力性のある部材１１４のネットワークにより、ハウジング１１０の中のレセプタクル・コンタクト１１２に対する所望の寸法（所望の位置）に対応する位置に固定される。これらの位置は、挿入接続コネクタを挿入できるはめ込み挿入接続コネクタまたは相補的挿入接続コネクタのハウジングの中のピン・コンタクトの位置に対応している。レセプタクル・コンタクト１１２は、原則的には、所望の寸法で定められる位置に弾力性のある部材１１４のネットワークを用いてあらかじめ配置されるが、挿入接続コネクタ１００の挿入方向１２２に対して垂直である図面の平面内における弾力性のある部材１１４の弾性のために、レセプタクル・コンタクト１１２は、それぞれの所望の位置から弾力的に偏向されうることは確かである。これが起こるとき、各レセプタクル・コンタクト１１２は、図面の平面内で、他のレセプタクル・コンタクト１１２とは無関係に前記所望の位置からはずれてランダム方向に動きうる。この場合、弾力性のある部材１１４のネットワークは、各レセプタクル・コンタクト１１２が、個々の接点に対して所望の寸法で設定される所望の位置から、許容誤差に起因するばらつきと同じオーダーの量だけ動くことができるように形成される。ここで、本発明の挿入接続コネクタ１００が、はめ込み挿入接続コネクタ内に堅固に配置されている対応するピン・コンタクトを有するはめ込み挿入接続コネクタまたは相補的挿入接続コネクタ（図示せず）に挿入されるとき、レセプタクル・コンタクト１１２は、それらのそれぞれの所望の位置からわずかに動き、所望の寸法で設定されるそれらの所望の位置からの許容誤差に起因して生じるばらつきがある状態で、はめ込み挿入接続コネクタ内の所定の位置に、堅固に、すなわち、頑丈に固定されている対応するピン・コンタクトに適合することができる。これは、マトリックス内に配置されたコンタクト・エレメントが機械的ストレスまたは損傷を受けることなく一緒に差し込まれることを可能にするものであり、この機械的ストレスまたは損傷は、コンタクト・エレメントが一緒に差し込まれるとき、コンタクト・プラグまたはピン、もしくはコンタクト・レセプタクルの位置の許容誤差に起因するばらつきの結果、コンタクト・エレメントの中で発生し、電気的コンタクトに悪影響を及ぼすであろう。また、コンタクト・ピンを本発明の挿入接続コネクタ内に提供でき、したがって、コンタクト・レセプタクルもまた、はめ込み挿入接続コネクタ内に提供できることは言うまでもない。また、レセプタクルおよびピンを挿入接続コネクタ内で混合することができ、その場合、はめ込み挿入接続コネクタは、適切な方法で相補的であるレセプタクルおよびピンの混合体を有する。
【００２０】
図２および図６で確認できる本発明の挿入接続コネクタ２００の第２の好ましい実施形態は、ハウジング２１０、３つの信号線部材２１２、３つのコンタクト・エレメント２１４、および弾力性のあるハウジング２１６を含む。矢２２２は、本発明の挿入接続コネクタ２００が、例えば、機器またはケーブルの相補的挿入接続コネクタまたは後者の挿入接続部に挿入されうる挿入方向を示す。本実施形態では、この挿入方向２２２は、ハウジング２１０で規定される平面に対して略垂直であり、このことは、関連するコネクタがアングル・コネクタであることを意味する。しかしながら、これは単に例を示したに過ぎない。また、挿入方向２２２は、挿入接続コネクタの縦軸に一致してもよく、その場合、コネクタがアングル・コネクタではなく、ストレート・コネクタであろうことを意味する。
【００２１】
特に図４で確認できるように、コンタクト・エレメント２１４は、中心導体２１８および外部導体２２０を有する同軸挿入接続コネクタの形態である。信号線部材２１２は、挿入方向２２２に対して垂直な平面内で伸長し、かつ挿入接続コネクタ２００のケーブル端２２６で同軸挿入接続コネクタ２１４をケーブル接続２２４に接続するそれぞれのストリップ・ラインの形態である。例えば、ストリップ・ライン２１２は、サンドイッチのような配置で他の導体トラックの上に１つの導体トラックを積み重ねた３つの導体トラックで形成され、中心導体トラックは高周波電気信号を送信し、２つの外側のトラックは信号線を電気的に遮蔽するために接地に接続される。
【００２２】
特に図３に示されているように、ハウジングは、ストリップ・ライン２１２のそれぞれを受け入れるための凹部２２８を含む。これらの凹部２２８は、ストリップ・ライン２１２が挿入方向２２２に対して垂直な平面内で動くことができるような寸法となされている。ハウジング２００の底面から、それぞれ凹部２３２を有する伸縮自在で弾力性のある舌状突起の形態の第１のラッチ手段２３０が隆起する。また、ハウジング２００の底面から隆起しているのは、それぞれラッチ突出部２３６を有するラッチ差込み部２３４であり、これらのラッチ突出部２３６は、はめ込み挿入接続コネクタの、または機器（図示せず）のケースの挿入接続部にラッチして、ハウジング２００を機械的にはめ込み挿入接続コネクタに、または機器のケースに接続するようになされている。また、ハウジング２１０のケーブル端２２６に形成されているのは、特に図２で確認できるように、ケーブル端２２６でハウジング２１０にストリップ・ライン２１２を固定するために設けられた伸縮自在で弾力性のあるラッチ舌状突起２３８である。
【００２３】
図５、および図７〜図９でさらに詳細に確認できる弾力性のあるハウジング２１６は、その各々が同軸挿入接続コネクタ２１４を取り囲む電気絶縁材料の３つのスリーブ２４０を含む。挿入方向２２２に面する端部には、スリーブ２４０の周囲に傾斜２４２が設けられており、この傾斜２４２は、本発明の挿入接続コネクタ２００が、相補的はめ込み挿入接続コネクタの挿入接続部に挿入されるとき、対応する相補的同軸挿入接続コネクタを捕捉する領域として機能する。伸縮自在で弾力性のある部材２４４を用いて、スリーブ２４０は一緒になって、弾力性のある部材と共に、弾力性のあるスリーブ２１６を形成するような方法で接続され、この弾力性のあるスリーブ２１６は、一方では、所望の寸法（所望の位置）で設定される所定位置に同軸挿入接続コネクタ２１４を保持し、他方では、スリーブ２４０、したがって同軸挿入接続コネクタ２１４が互いに対して伸縮自在に偏向することを可能とし、このことは、所望の寸法で設定される所望の位置からはずれて適切な動きを行うことにより、同軸挿入接続コネクタ２１４は、はめ込み挿入接続コネクタ内に、または本発明の挿入接続コネクタ２００が挿入されるべき挿入接続部内に、相補的接続挿入コネクタが堅固に配置される所望の位置から、相補的同軸挿入接続コネクタの位置が、許容誤差に起因してばらついてしまうことに適応できることを意味する。換言すれば、本発明の挿入接続コネクタ２００は、３つの個別の同軸挿入接続コネクタが、対応する相補的同軸挿入接続コネクタに同時に差し込まれることを可能とするものであり、その際、前記相補的同軸挿入接続コネクタが、許容誤差の小さい位置決めに対する過度の要求を満足するように、はめ込み挿入接続コネクタ内に配置される必要がない。これは、要求される許容誤差がそれほど厳しくないため、すなわち換言すれば、同軸挿入接続コネクタ２１４および相補的同軸挿入接続コネクタの側の、所望の寸法または所望の位置からの許容誤差に起因するばらつきが大きくても許されるため、費用および製造努力を節約する。スリーブ２４０および弾力性のある部材２４４は、弾力性のあるハウジング２１６を形成するとともに、互いに一体となって単一部品に形成される。
【００２４】
伸縮自在で弾力性のある方法でスリーブ２４０を接続する弾力性のある部材２４４は、挿入方向２２２に対して垂直な断面において略Ω形の形態であり、弾力性のある部材２４４の外面上には、舌状突起２３０内の凹部２３２に嵌入するラッチ突出部の形態の第２のラッチ手段２４６を提供する。この配置のお陰で、同軸挿入接続コネクタ２１４は伸縮自在で弾力性のある方法で挿入方向２２２に対して垂直な平面内で所望の位置から偏向されうるが、その一方で、同軸挿入接続コネクタ２１４は、挿入方向２２２に固定されている。
【００２５】
挿入接続コネクタ２００が組み立てられているとき、図４および図５で確認できるように、最初に、弾力性のあるハウジング２１６が同軸挿入接続コネクタ２１４を覆ってスライドされ、各スリーブ２４０が同軸挿入接続コネクタ２１４を受け入れるようになされる。その後、ハウジング２１０上のラッチ舌状突起２３８がストリップ・ライン２１２の上でラッチし、かつ弾力性のあるハウジング２１６に属する弾力性のある部材２４４上のラッチ突出部２４６が、舌状突起２３０内の凹部２３２の中にラッチするまで、ストリップ・ライン２１２を、挿入方向２２２に対して逆方向にハウジング２１０内の凹部２２８の中に滑り込ませ、これにより、一方では、同軸挿入接続コネクタ２１４、ストリップ・ライン２１２、およびケーブル接続２２４を含む各配置が、ハウジング２１０に接続されるが、他方では、同軸挿入接続コネクタ２１４は、凹部２２８内でのストリップ・ライン２１２の自由性、および挿入方向２２２に対して垂直な平面における弾力性のある部材２４４の伸縮自在で弾力性のある動きにより、許容誤差に起因するばらつきと同じオーダーの量だけ、互いに対して同軸挿入接続コネクタ２１４の所望の位置からはずれて動くことができる。
【００２６】
特に図２および図６で確認できるように、舌状突起２３０は異なる幅を有する。はめ込み挿入接続コネクタの挿入接続部内には対応する凹部があるため、これにより利用可能になるものは、機械的コーディングの手段であり、この機械的コーディングの手段は、挿入接続コネクタ２００が、間違って回転された位置にあるはめ込み挿入接続コネクタの挿入接続部に挿入されることを防止する。これは、挿入接続コネクタ２００内の正しい同軸挿入接続コネクタ２１４が、常に、相補的挿入接続コネクタの挿入接続部内の正しい相補的同軸挿入接続コネクタに対応することを確実にする。
【００２７】
例えば、挿入接続部は、移動無線アンテナおよびＧＰＳアンテナのような複数のアンテナを有する自動車ルーフ・アンテナのハウジング内の相補的同軸挿入接続コネクタの配置である。各アンテナに対してそれ自身の同軸挿入接続コネクタが提供される。アンテナと、本例では、移動電話およびＧＰＳ受信機である所与の端末装置との間の電気接続は、自動車ルーフ・アンテナの挿入接続部内に本発明の挿入接続コネクタ２００を挿入することにより直接に行われる。これが完了するとき、携帯電話アンテナおよびＧＰＳアンテナに対する各同軸挿入接続コネクタが、同時に一緒に差し込まれる。いかなる付加的なケーブル接続も省くことができる。相補的同軸挿入接続コネクタは、それらの関連したアンテナにそれぞれ直接接続される。信号経路に沿った接合個所の数が少ないことによる信号伝送の改良と同時に、異なるアンテナに対する同軸挿入接続コネクタと相補的同軸挿入接続コネクタの各組は、それぞれ別々に差し込まれる必要がないため、取付部品の簡素化ももたらされる。
【図面の簡単な説明】
【００２８】
【図１】本発明の挿入接続コネクタの第１の好ましい実施形態の挿入側の概略平面図である。
【図２】本発明の挿入接続コネクタの第２の好ましい実施形態の斜視図である。
【図３】図２に示した挿入接続コネクタのハウジングの斜視図である。
【図４】コンタクト・エレメント、信号線部材、および弾力性のあるハウジングを示す分解図である。
【図５】組み立てられた状態で、コンタクト・エレメント、信号線部材、および弾力性のあるハウジングを示す斜視図である。
【図６】部分的に組み立てられた状態で図２の挿入接続コネクタを示す斜視図である。
【図７】図２の挿入接続コネクタの弾力性のあるハウジングを下方から見た斜視図である。
【図８】図２の挿入接続コネクタの弾力性のあるハウジングを上方から見た斜視図である。
【図９】図２の挿入接続コネクタの弾力性のあるハウジングの平面図である。
【図１】
2008535152.tif 000003
【図２】
2008535152.tif 000004
【図３】
2008535152.tif 000005
【図４】
2008535152.tif 000006
【図５】
2008535152.tif 000007
【図６】
2008535152.tif 000008
【図７】
2008535152.tif 000009
【図８】
2008535152.tif 000010
【図９】
2008535152.tif 000011
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
ハウジング（１１０、２１０）を有し、かつ少なくとも２つの電気的コンタクト・エレメント（１１２、２１４）を有する挿入接続コネクタ（１００、２００）において、これらの少なくとも２つの電気的コンタクト・エレメント（１１２、２１４）は、それぞれ縦軸を有するとともに、前記ハウジング（１１０、２１０）の挿入側の所定位置に配置され、これらの少なくとも２つの電気的コンタクト・エレメント（１１２、２１４）のそれぞれの縦軸が前記挿入接続コネクタ（１００、２００）の挿入方向（１２２、２２２）に平行になるように方向付けられている、挿入接続コネクタ（１００、２００）であって、各電気的コンタクト・エレメント（１１２、２１４）は、中心導体（２１８）および外部導体（２２０）を有する同軸挿入接続コネクタの形態であり、前記ハウジング（１１０、２１０）内で前記挿入方向（１２２、２２２）に対して垂直な平面内で可動であるように配置され、かつ伸縮自在で弾力性のある方法で少なくとも１つの電気絶縁性の伸縮自在で弾力性のある部材（１１４、２４４）を用いて少なくとも１つの第２の電気的コンタクト・エレメント（１１２、２１４）に接続され、前記伸縮自在で弾力性のある部材（１１４、２４４）は、前記電気的コンタクト・エレメント（１１２、２１４）を、許容誤差によるばらつきを除いて、前記各所定位置にあらかじめ配置し、かつ伸縮自在で弾力性のある方法で前記挿入方向（１２２、２２２）に対して垂直な前記平面内でこれらの位置から偏向させることができるように配置され、かつ形成されることを特徴とする挿入接続コネクタ（１００、２００）。
【請求項２】
請求項１に記載の挿入接続コネクタ（１００、２００）であって、前記挿入方向（２２２）に対して垂直な前記平面内の前記電気的コンタクト・エレメント（１１２、２１４）の可動性が、前記電気的コンタクト・エレメント（１１２、２１４）の前記縦軸の傾斜、および／または、平行な位置の移動における前記電気的コンタクト・エレメントの変位を含むような方法で、前記電気的コンタクト・エレメント（１１２、２１４）が前記ハウジング（１１０、２１０）内で可動であるように配置されることを特徴とする挿入接続コネクタ（１００、２００）。
【請求項３】
先行する請求項のうちの少なくとも１項に記載の挿入接続コネクタ（１００、２００）であって、各電気的コンタクト・エレメント（１１２、２１４）が、電気的コンタクト・エレメント（１１２、２１４）をケーブルの接続点（２２４）にその都度、電気的に接続する信号線部材（２１２）に接続されることを特徴とする挿入接続コネクタ（１００、２００）。
【請求項４】
請求項３に記載の挿入接続コネクタ（１００、２００）であって、各信号線部材（２１２）が、同軸ラインまたはストリップ・ラインの形態であることを特徴とする挿入接続コネクタ（１００、２００）。
【請求項５】
請求項３または４に記載の挿入接続コネクタ（１００、２００）であって、各信号線部材（２１２）が、電気的遮蔽を有するように形成されることを特徴とする挿入接続コネクタ（１００、２００）。
【請求項６】
請求項３〜５のうちの少なくとも１項に記載の挿入接続コネクタ（２００）であって、すべての前記信号線部材（２１２）が、前記所与のコンタクト・エレメント（２１４）を起点として、前記挿入方向（２２２）に対して直角な平面内に伸長するように配置されることを特徴とする挿入接続コネクタ（２００）。
【請求項７】
請求項３〜６のうちの少なくとも１項に記載の挿入接続コネクタ（２００）であって、各信号線部材（２１２）が堅い構成要素の形態であり、凹部（２２８）が、前記ハウジング（２１０）内に各信号線部材（２１２）に対して設けられ、かつ各信号線部材（２１２）を前記関連したコンタクト・エレメント（２１４）と共に前記挿入方向（２２２）に対して垂直な平面内で動かすことができるように形成されていることを特徴とする挿入接続コネクタ（２００）。
【請求項８】
先行する請求項のうちの少なくとも１項に記載の挿入接続コネクタ（２００）であって、各電気的コンタクト・エレメント（２１４）が、電気絶縁スリーブ（２４０）により取り囲まれており、電気的コンタクト・エレメント（２１４）の各スリーブ（２４０）が、電気絶縁性の伸縮自在で弾力性のあるそれぞれの部材（２４４）を用いて伸縮自在で弾力性のある方法で、隣接している電気的コンタクト・エレメント（２１４）のスリーブ（２４０）に接続されることを特徴とする挿入接続コネクタ（２００）。
【請求項９】
請求項８に記載の挿入接続コネクタ（２００）であって、前記弾力性のある部材（２４４）が、前記挿入方向（２２２）に対して垂直な横断面においてΩ形になるように形成されることを特徴とする挿入接続コネクタ（２００）。
【請求項１０】
請求項８または９に記載の挿入接続コネクタ（２００）であって、前記スリーブ（２４０）および弾力性のある部材（２４４）が、互いに一体となって単一部品になるように形成され、弾力性のあるハウジング（２１６）を形成することを特徴とする挿入接続コネクタ（２００）。
【請求項１１】
先行する請求項のうちの少なくとも１項に記載の挿入接続コネクタ（２００）であって、第１のラッチ手段（２３０）が前記ハウジング（２１０）上に形成され、かつそれぞれの弾力性のある部材（２４４）上に、前記第１のラッチ手段（２３０）と協働して前記弾力性のある部材（２４４）を前記ハウジング（２１０）に固定する、第２のラッチ手段（２４６）が形成されることを特徴とする挿入接続コネクタ（２００）。
【請求項１２】
請求項１１に記載の挿入接続コネクタ（２００）であって、各第１のラッチ手段（２３０）が、前記ハウジング（２１０）から前記挿入方向に隆起し、かつ凹部（２３２）を有する、伸縮自在で弾力性のある舌状突起を含むとともに、各第２のラッチ手段（２４６）が、前記所与の弾力性のある部材（２４４）から、前記挿入方向（２２２）に対して垂直に隆起し、かつ前記第１のラッチ手段を構成する前記弾力性のある舌状突起（２３０）内の前記凹部（２３２）に嵌入する、ラッチ突出部を含むことを特徴とする挿入接続コネクタ（２００）。
【請求項１３】
請求項１２に記載の挿入接続コネクタ（２００）であって、前記ハウジング（２１０）上の前記第１のラッチ手段を構成する前記舌状突起（２３０）のうちの少なくとも１つが、前記他の舌状突起（２３０）と異なる幅を有することを特徴とする挿入接続コネクタ（２００）。
【請求項１４】
先行する請求項のうちの少なくとも１項に記載の挿入接続コネクタ（２００）であって、各ラッチ突出部（２３６）を有し、かつ相互に離間した、少なくとも２つ、特に３つのラッチ差込み部（２３４）が、前記ハウジング（２１０）から前記挿入方向（２２２）に隆起しており、この各ラッチ突出部（２３６）は、ハウジングの中に、または前記挿入接続コネクタ（２００）の前記電気的コンタクト・エレメント（２１４）に対して相補的なコンタクト・エレメントを提供する挿入接続部の中に、ラッチするように形成されることを特徴とする挿入接続コネクタ（２００）。
【国際調査報告】
2008535152.tif 000012
2008535152.tif 000013
2008535152.tif 000014
2008535152.tif 000015